(57)【要約】【課題】データ記録先の切り替え制御に優れた記録制御装置を提供すること。【解決手段】記録制御装置は、管理手段と、記録制御手段とを備える。前記管理手段は、第１の記憶領域を備えた第１の記憶媒体の設定完了に対応して、前記第１の記憶領域をデータ処理領域として管理し、前記第１の記憶媒体の設定完了に加え第２の記憶領域を備えた第２の記憶媒体の設定完了に対応して、前記データ処理領域を前記第１の記憶領域から前記第１の記憶領域と前記第２の記憶領域とで構成される連続領域へ変更し、前記第２の記憶領域に記録を開始した後、前記データ処理領域を前記連続領域から前記第２の記憶領域へ変更する。前記記録制御手段は、前記データ処理領域に対してデータを記録するように制御する。【選択図】図３
2015039067.tif 000002
【特許請求の範囲】
【請求項１】
第１の記憶領域を備えた第１の記憶媒体の設定完了に対応して、前記第１の記憶領域をデータ処理領域として管理し、前記第１の記憶媒体の設定完了に加え第２の記憶領域を備えた第２の記憶媒体の設定完了に対応して、前記データ処理領域を前記第１の記憶領域から前記第１の記憶領域と前記第２の記憶領域とで構成される連続領域へ変更し、前記第２の記憶領域に記録を開始した後、前記データ処理領域を前記連続領域から前記第２の記憶領域へ変更する管理手段と、
前記データ処理領域に対してデータを記録するように制御する記録制御手段と、
を備えた記録制御装置。
【請求項２】
前記記録制御手段は、前記データ処理領域が前記第１の記憶領域から前記連続領域へ変更されたことに対応して、前記第１の記憶領域及び前記第２の記憶領域の順に、前記連続領域に対してデータを記録するように制御する請求項１記載の記録制御装置。
【請求項３】
前記第２の記憶領域は、複数のアドレスで管理された複数の分割領域を備え、
前記管理手段は、前記第２の記憶領域の前記複数の分割領域の先頭領域から最終領域までデータが記録されたことに対応して、前記データ処理領域を前記連続領域から前記第２の記憶領域へ変更する請求項１又は２記載の記録制御装置。
【請求項４】
前記記録制御手段は、前記データ処理領域が前記連続領域から前記第２の記憶領域へ変更されたことに対応して、前記第２の記憶領域に対してデータをループ記録するように制御する請求項１乃至３の何れか１項記載の記録制御装置。
【請求項５】
前記第１の記憶領域は、複数のアドレスで管理された複数の分割領域を備え、
前記記録制御手段は、前記データ処理領域が前記第１の記憶領域から前記連続領域へ変更され、前記第１の記憶領域の前記複数の分割領域の最終領域までデータが記録されたことに基づいて、前記第２の記憶領域に対するデータの記録を開始するように制御する請求項１乃至４の何れか１項記載の記録制御装置。
【請求項６】
前記記録制御手段は、前記データ処理領域が前記第１の記憶領域から前記連続領域へ変更されたことに基づいて、前記第２の記憶領域に対するデータの記録を開始するように制御する請求項１乃至４の何れか１項記載の記録制御装置。
【請求項７】
前記管理手段により管理された前記データ処理領域に記録されたデータを再生するように制御する再生制御手段を備えた請求項１乃至６の何れか１項記載の記録制御装置。
【請求項８】
前記再生制御手段は、前記第１の記憶領域が前記データ処理領域として管理されたことに対応して、前記第１の記憶領域に記録されたデータをループ再生し、前記データ処理領域が前記連続領域へ変更されたことに対応して、前記連続領域に記録されたデータを再生し、前記データ処理領域が前記第２の記憶領域へ変更されたことに対応して、前記第２の記憶領域に記録されたデータをループ再生するように制御する請求項７記載の記録制御装置。
【請求項９】
前記管理手段は、前記第１の記憶領域がデータ処理領域として管理された状態で、前記第２の記憶媒体の接続検出に対応して、前記第２の記憶領域をフォーマッティングし、前記データ処理領域を前記第１の記憶領域から前記連続領域へ変更する請求項１乃至８の何れか１項記載の記録制御装置。
【請求項１０】
前記記録制御手段は、前記第１の記憶領域が前記データ処理領域として管理されたことに対応して、番組記録制御情報に基づき前記第１の記憶領域に対して番組をループ記録し、前記データ処理領域が前記第１の記憶領域から前記連続領域へ変更されたことに対応して、前記番組記録制御情報に基づき前記連続領域に対して番組を記録し、前記データ処理領域が前記連続領域から前記第２の記憶領域へ変更されたことに対応して、前記番組記録制御情報に基づき前記第２の記憶領域に対して番組をループ記録するように制御する請求項１乃至９の何れか１項記載の記録制御装置。
【請求項１１】
第１の記憶領域を備えた第１の記憶媒体の設定完了に対応して、前記第１の記憶領域をデータ処理領域として管理し、前記第１の記憶領域に対してデータを記録するように制御し、
前記第１の記憶媒体の設定完了に加え第２の記憶領域を備えた第２の記憶媒体の設定完了に対応して、前記データ処理領域を前記第１の記憶領域から前記第１の記憶領域と前記第２の記憶領域とで構成される連続領域へ変更し、前記連続領域に対してデータを記録するように制御し、
前記第２の記憶領域に記録を開始した後、前記データ処理領域を前記連続領域から前記第２の記憶領域へ変更し、前記第２の記憶領域に対してデータを記録するように制御する記録制御方法。
【発明の詳細な説明】
【技術分野】
【０００１】
本発明の実施形態は、記録制御装置及び記録制御方法に関する。
【背景技術】
【０００２】
近年、番組記録可能なデジタルテレビ放送受信装置が登場している。このようなデジタルテレビ放送受信装置は、デジタルテレビ放送信号を受信し、受信したデジタルテレビ放送信号に基づく番組を再生（表示）するだけでなく、ＨＤＤ又はＤＶＤ等の記憶媒体を使って番組を記録することもできる。
【０００３】
また、高機能デジタルテレビ放送受信装置も登場している。例えば、高機能デジタルテレビ放送受信装置は、複数の記憶媒体を接続することができ、所定記憶媒体に対して、複数チャンネルからの複数番組を同時に記録することができ、また、複数チャンネルからの複数番組を記録し続け、常時、所定時間分（例えば２４時間分）の複数チャンネルからの複数番組を保持することができる。この場合、高機能デジタルテレビ放送受信装置は、ループ記録と呼ばれる手法により、記憶媒体から最も古い番組を消去し、替りに記憶媒体に対して最も新しい番組を記録する。
【先行技術文献】
【特許文献】
【０００４】
【特許文献１】特開２００４−２３５８８号公報
【発明の概要】
【発明が解決しようとする課題】
【０００５】
上記したように、デジタルテレビ放送受信装置は、複数の記憶媒体（例えば複数のＨＤＤ）を接続することができる。このため、各種状況に応じて効率よく記憶媒体を交換したいという要望が挙げられている。
【０００６】
本発明の目的は、データ記録先の切り替え制御に優れた記録制御装置及び記録制御方法を提供することにある。
【課題を解決するための手段】
【０００７】
実施形態によれば、記録制御装置は、管理手段と、記録制御手段とを備える。前記管理手段は、第１の記憶領域を備えた第１の記憶媒体の設定完了に対応して、前記第１の記憶領域をデータ処理領域として管理し、前記第１の記憶媒体の設定完了に加え第２の記憶領域を備えた第２の記憶媒体の設定完了に対応して、前記データ処理領域を前記第１の記憶領域から前記第１の記憶領域と前記第２の記憶領域とで構成される連続領域へ変更し、前記第２の記憶領域に記録を開始した後、前記データ処理領域を前記連続領域から前記第２の記憶領域へ変更する。前記記録制御手段は、前記データ処理領域に対してデータを記録するように制御する。
【図面の簡単な説明】
【０００８】
【図１】各実施形態に係る記録制御装置の一例を示す図である。
【図２】各実施形態に係るデジタルテレビジョン放送受信装置の構成の一例を示す図である。
【図３】第１の実施形態に係る第１の記録再生制御の一例を示す状態遷移図である。
【図４】第１の実施形態に係る第１の記録再生制御の一例を示すフローチャートである。
【図５】第１の実施形態に係る第１の記録再生制御の一部の処理の一例を示すフローチャートである。
【図６】第２の実施形態に係る第２の記録再生制御の一例を示す状態遷移図である。
【図７】第２の実施形態に係る第２の記録再生制御の一例を示すフローチャートである。
【発明を実施するための形態】
【０００９】
以下、各実施形態について図面を参照して説明する。
【００１０】
図１は、各実施形態に係る記録制御装置の一例を示す図である。図２は、図１に示す記録制御装置を適用したデジタルテレビジョン放送受信装置の構成の一例を示す図である。
【００１１】
図１に示すように記録制御装置は、受信モジュール１、記録再生制御モジュール２、再生モジュール３、記録再生領域管理モジュール４を備える。また、記録制御装置は、複数の記憶媒体、例えば、ＨＤＤ１００及びＨＤＤ２００と接続可能に構成されている。
【００１２】
図２に示すように、デジタルテレビジョン放送受信装置１０は、アンテナ１０１、入力端子１０２、チューナー部１０３、外部入力端子１０４〜１０７、信号処理モジュール１０８、制御モジュール１１０、ＯＳＤ信号生成モジュール１１１、グラフィック処理モジュール１１２、映像処理モジュール１１３、音声処理モジュール１１４、操作部１１５、受信部１１７、カードホルダ１１９、カードインターフェース１２０、明るさセンサー１２１、ＬＡＮ端子１２２、通信インターフェース１２３、第１のＵＳＢ端子１２４、第１のＵＳＢインターフェース１２５、第２のＵＳＢ端子１２６、第２のＵＳＢインターフェース１２７、ＨＤＭＩ端子１２８、ＨＤＭＩインターフェース１２９、映像表示部１４１、スピーカ１４２を備えている。
【００１３】
なお、入力端子１０２及びチューナー部１０３は、図１に示す受信モジュール１に対応する。また、映像処理モジュール１１３、音声処理モジュール１１４、映像表示部１４１、スピーカ１４２は、図１に示す再生モジュール３に対応する。
【００１４】
さらに、チューナー部１０３は、地上デジタルテレビジョン放送用のチューナー１０３１〜１０３８を備え、さらにＢＳ／ＣＳデジタルテレビジョン放送用のチューナーも備えている。地上デジタルテレビジョン放送用のチューナー１０３１〜１０３８により、地上デジタルテレビジョン放送に対応した地上デジタルテレビジョン放送の番組表を受信し、表示することができる。また、ＢＳ／ＣＳデジタルテレビジョン放送用のチューナーにより、ＢＳ／ＣＳデジタルテレビジョン放送に対応した番組表の表示を受信し、表示することもできる。
【００１５】
また、図２に示すように、デジタルテレビジョン放送受信装置１０が、映像表示部１４１及びスピーカ１４２を備えるケースについて説明する。しかしながら、デジタルテレビジョン放送受信装置１０は、このような構成に限定されるものではない。例えば、デジタルテレビジョン放送受信装置１０は、映像表示部１４１及びスピーカ１４２を含まない構成であってもよい。つまり、デジタルテレビジョン放送受信装置１０は、ＨＤＭＩ等の接続手段を介して映像表示部１４１及びスピーカ１４２と接続する構成であってもよい。
【００１６】
また、本実施形態では、図２に示すように、デジタルテレビジョン放送受信装置１０が、複数のチューナーを備えるケースについて説明する。しかしながら、デジタルテレビジョン放送受信装置１０は、このような構成に限定されるものではない。例えば、デジタルテレビジョン放送受信装置１０が、複数のチューナーを含まない構成であってもよい。その場合、例えば、デジタルテレビジョン放送受信装置１０は、ＬＡＮ端子１２２を介してＩＰ（Internet Protocol）放送を受信し、ＩＰ放送の複数チャンネルに対応した番組を再生したり、記録したりする構成であってもよい。
【００１７】
以下、デジタルテレビジョン放送受信装置１０の詳細について説明する。
【００１８】
地上波放送受信用のアンテナ１０１で受信した地上デジタルテレビジョン放送信号は、入力端子１０２を介してチューナー１０３１〜１０３８に供給され、チューナー１０３１〜１０３８の地上デジタルテレビジョン放送用信号処理部で、所望のチャンネルのデジタルテレビジョン放送信号が選局される。そして、このチューナー１０３１〜１０３８で選局された複数のデジタルテレビジョン放送信号は、ＯＦＤＭ（orthogonal frequency division multiplexing）復調モジュールに供給されて、デジタルの映像信号及び音声信号に復調された後、信号処理モジュール１０８に出力される。
【００１９】
ここで、上記信号処理モジュール１０８は、ＯＦＤＭ復調モジュールから供給されたデジタルの映像信号及び音声信号に対して、選択的に所定のデジタル信号処理を施し、グラフィック処理モジュール１１２及び音声処理モジュール１１４に出力している。
【００２０】
また、上記信号処理モジュール１０８には、例えば４つの入力端子１０４〜１０７が接続されている。これら入力端子１０４〜１０７は、それぞれ、アナログの映像信号及び音声信号を、デジタルテレビジョン放送受信装置１０の外部から入力可能とするものである。
【００２１】
そして、この信号処理モジュール１０８は、各入力端子１０４〜１０７からそれぞれ供給されたアナログの映像信号及び音声信号を選択的にデジタル化し、このデジタル化された映像信号及び音声信号に対して所定のデジタル信号処理を施した後、グラフィック処理モジュール１１２及び音声処理モジュール１１４に出力している。
【００２２】
このうち、グラフィック処理モジュール１１２は、信号処理モジュール１０８から供給されるデジタルの映像信号に、ＯＳＤ（on screen display）信号生成モジュール１１１で生成されるＯＳＤ信号を重畳して出力する機能を有する。このグラフィック処理モジュール１１２は、信号処理モジュール１０８の出力映像信号と、ＯＳＤ信号生成モジュール１１１の出力ＯＳＤ信号とを選択的に出力すること、また、両出力をそれぞれ画面の半分を構成するように組み合わせて出力することができる。
【００２３】
そして、グラフィック処理モジュール１１２から出力されたデジタルの映像信号は、映像処理モジュール１１３に供給される。映像処理モジュール１１３により処理された映像信号は、映像表示部１４１に供給される。映像表示部１４１は、映像信号に基づく映像を表示する。
【００２４】
また、上記音声処理モジュール１１４は、入力されたデジタルの音声信号を、スピーカ１４２で再生可能なフォーマットのアナログ音声信号に変換した後、スピーカ１４２に出力して音声再生させる。
【００２５】
ここで、このデジタルテレビジョン放送受信装置１０は、上記した各種の受信動作を含むその全ての動作を制御モジュール１１０によって統括的に制御されている。制御モジュール１１０は、ＣＰＵ（central processing unit）等を備え、操作部１１５からの操作情報（各種指示）、または、リモートコントローラ１１６から送出され受光部１１７を介して受信した操作情報（各種指示）を受けて、その操作内容が反映されるように各モジュール等をそれぞれ制御する。
【００２６】
また、制御モジュール１１０は、ＣＰＵが実行する制御プログラムを格納したＲＯＭ（read only memory）１１０１と、ＣＰＵに作業エリアを提供するＲＡＭ（random access memory）１１０２と、各種の設定情報及び制御情報等が格納される不揮発性メモリ１１０３と、記録再生制御モジュール１１０４と、記録再生領域管理モジュール１１０５とを備えている。なお、記録再生制御モジュール１１０４は、図１に示す記録再生制御モジュール２に対応し、記録再生領域管理モジュール１１０５は、記録再生領域管理モジュール４に対応する。
【００２７】
また、制御モジュール１１０は、カードインターフェース１２０を介して、メモリカード１１８が装着可能なカードホルダ１１９に接続されている。これによって、制御モジュール１１０は、カードホルダ１１９に装着されたメモリカード１１８と、カードインターフェース１２０を介して、情報伝送を行なうことができる。
【００２８】
また、上記制御モジュール１１０は、通信インターフェース１２３を介してＬＡＮ端子１２２と接続されている。これにより、制御モジュール１１０は、ＬＡＮ端子２１に接続されたＬＡＮ対応機器と、通信インターフェース１２３を介して情報伝送を行なうことができる。この場合、制御モジュール１１０は、ＤＨＣＰ（dynamic host configuration protocol）サーバ機能を有し、ＬＡＮ端子１２２に接続されたＬＡＮ対応機器にＩＰ（internet protocol）アドレスを割り当てて制御している。
【００２９】
さらに、上記制御モジュール１１０は、ＨＤＭＩインターフェース１２９を介してＨＤＭＩ端子１２８と接続されている。これにより、制御モジュール１１０は、ＨＤＭＩ端子１２８に接続されたＨＤＭＩ対応機器と、ＨＤＭＩインターフェース１２９を介して情報伝送を行なうことができる。
【００３０】
そして、上記制御モジュール１１０は、第１のＵＳＢインターフェース１２５を介して第１のＵＳＢ端子１２４と接続されている。これにより、制御モジュール１１０は、第１のＵＳＢ端子１２４に接続された第１のＵＳＢ対応機器（例えばＨＤＤ１００）と、第１のＵＳＢインターフェース１２５を介して情報伝送を行なうことができる。
【００３１】
さらに、上記制御モジュール１１０は、第２のＵＳＢインターフェース１２７を介して第２のＵＳＢ端子１２６と接続されている。これにより、制御モジュール１１０は、第２のＵＳＢ端子１２６に接続された第２のＵＳＢ対応機器（例えばＨＤＤ２００）と、第２のＵＳＢインターフェース１２７を介して情報伝送を行なうことができる。
【００３２】
なお、ここでは、デジタルテレビジョン放送受信装置１０が、外部記憶装置としてのＨＤＤ１００及びＨＤＤ２００と接続するケースについて説明するが、ＨＤＤ１００及びＨＤＤ２００の少なくとも一方が内部記憶装置（例えば内蔵ＨＤＤ）であってもよい。
【００３３】
さらに、上記制御モジュール１１０は、明るさセンサー１２１からの明るさ検出信号を受信するように構成されている。これにより、制御モジュール１１０は、明るさ検出信号に基づき、映像及びバックライトの明るさ等を制御することができる。
【００３４】
さらに、上記制御モジュール１１０（記録再生制御モジュール１１０４）は、チューナー部１０３により選局されデスクランブルされた放送信号を、ＬＡＮ端子１２２、第１のＵＳＢ端子１２４、又は第２のＵＳＢ端子１２６を介して接続された外部記憶装置（例えばＨＤＤ１００、ＨＤＤ２００）へ記録するための記録動作を制御することもできる。なお、上記したように、チューナー部１０３は、複数のチューナーを備えているので、同時に、複数チャンネルの複数番組を記録したり、複数チャンネルの複数番組を表示したりすることができる。例えば、デジタルテレビジョン放送受信装置１０は、ハイビジョンレベルの画質で複数チャンネル（指定された複数チャンネル）の１週間分（例えば１週間分の指定された時間帯）の全番組を記録することが可能となる。このような記録をマルチ同時記録と称する。なお、デジタルテレビジョン放送受信装置１０は、上記したマルチ同時記録を実現するために、複数チャンネルに対応した複数チューナー１０３１〜１０３８を備えており、更に、スクランブル放送に対応するために、複数チューナー１０３１〜１０３８に対応した複数のデスクランブル用のカードを挿入するための複数のカードスロットも備えている。
【００３５】
（第１の実施形態）
図３〜図５を参照し、第１の実施形態について説明する。図３は、第１の実施形態に係る第１の記録再生制御の一例を示す状態遷移図であり、図４は、第１の実施形態に係る第１の記録再生制御の一例を示すフローチャートであり、図５は、第１の実施形態に係る第１の記録再生制御の一部の処理の一例を示すフローチャートである。
【００３６】
例えば、第１のＵＳＢ端子１２４を介してＨＤＤ１００が接続されると、制御モジュール１１０（記録再生領域管理モジュール１１０５）は、ＨＤＤ１００の接続を検出し、ＨＤＤ１００を認識し、ＨＤＤ１００の第１の記憶領域（例えば全領域）をループ記録再生用にフォーマットし、ＨＤＤ１００の接続処理を実行し、第１の記憶領域（ＨＤＤ１００）をデータ処理領域（ループ記録再生領域）として管理する。なお、第１の記録領域は、複数のアドレスで管理された複数の分割領域により構成される。
【００３７】
制御モジュール１１０（記録再生制御モジュール１１０４）は、不揮発性メモリ１１０３に記憶された記録制御情報に基づき、チューナー１０３１〜１０３８で受信された各放送信号に対応した各番組データ（各番組の映像、音声データ）を第１の記憶領域（ＨＤＤ１００）へループ記録するように制御する。
【００３８】
例えば、記録制御情報が、チャンネル１０１〜１０８の番組を常時記録し続けることを指示する制御情報である場合、制御モジュール１１０（記録再生制御モジュール１１０４）は、記録制御情報に基づき、チューナー１０３１〜１０３８で受信された各放送信号に対応した各番組データを第１の記憶領域（ＨＤＤ１００）へループ記録するように制御する。これに対応して、ＨＤＤ１００は、チューナー１０３１〜１０３８で受信された各放送信号に対応した各番組データをループ記録する。
【００３９】
例えば、制御モジュール１１０（記録再生制御モジュール１１０４）のループ記録制御により、ＨＤＤ１００は、第１の記憶領域の先頭領域（アドレス０００１）から番組データを記録し始め、第１の記憶領域の最終領域（アドレスＸＸＸＸ）まで番組データを記録し続け、再び、先頭領域（アドレス０００１）から番組データを記録し、最終領域（アドレスＸＸＸＸ）まで番組データを記録し続ける。
【００４０】
つまり、第１の記憶領域の先頭領域から最終領域まで番組データが記録された後は、第１の記憶領域に空き領域が無いため、ＨＤＤ１００は、第１の記憶領域の先頭領域から最終領域まで既に記録されていた番組データを削除しつつ、替りに、第１の記憶領域の先頭領域から最終領域まで新規の番組データを記録する。このような番組データの記録をループ記録と称する。つまり、ループ記録により、常時、第１の記憶領域の記憶サイズに応じた最新の番組データが蓄積される。
【００４１】
例えば、図３のＳ１１、Ｓ１２に示すように、第１の記憶領域の領域１−２、領域１−１の順に番組データが記録され、その後、図３のＳ１３、Ｓ１４に示すように、番組データの記録が進む。
【００４２】
また、制御モジュール１１０（記録再生制御モジュール１１０４）は、再生指示に対応して、第１の記憶領域に記録された番組データをループ再生するように制御することもできる。さらに、制御モジュール１１０（記録再生制御モジュール１１０４）は、ループ記録とループ再生とを並行して動作させることもきる。
【００４３】
例えば、制御モジュール１１０（記録再生制御モジュール１１０４）のループ再生制御により、ＨＤＤ１００は、第１の記憶領域の先頭領域（アドレス０００１）から番組データを再生し始め、第１の記憶領域の最終領域（アドレスＸＸＸＸ）まで番組データを再生し続け、再び、先頭領域から番組データ（ループ記録により更新された番組データ）を再生し、最終領域まで番組データ（ループ記録により更新された番組データ）を再生し続ける。
【００４４】
つまり、第１の記憶領域の先頭領域から最終領域まで番組データが再生された後は、ループ記録により更新された番組データを、再び、第１の記憶領域の先頭領域から最終領域まで再生する。このような番組データの再生をループ再生と称する。つまり、ループ再生により、第１の記憶領域に記録された古い番組データから順に、新しい番組データまで再生し続けることができる。
【００４５】
上記したループ記録中に、或いはループ記録とループ再生中に、第２のＵＳＢ端子１２６を介してＨＤＤ２００が接続されると、制御モジュール１１０（記録再生領域管理モジュール１１０５）は、ＨＤＤ２００の接続を検出し(図４のＢＬＯＣＫ１１)、ＨＤＤ２００を認識し、ＨＤＤ２００の第２の記憶領域（例えば全領域）をループ記録再生用にフォーマットし(図４のＢＬＯＣＫ１２)、ＨＤＤ２００の接続処理を実行する（図４のＢＬＯＣＫ１３）。なお、第２の記録領域は、複数のアドレスで管理された複数の分割領域により構成される。
【００４６】
さらに、制御モジュール１１０（記録再生領域管理モジュール１１０５）は、ＨＤＤ１００の第１の記憶領域とＨＤＤ２００の第２の記憶領域とを論理的に連続した連続領域として管理し、この連続領域をデータ処理領域（記録再生領域）として管理する。つまり、制御モジュール１１０（記録再生領域管理モジュール１１０５）は、データ処理領域を第１の記憶領域から連続領域へ変更する。制御モジュール１１０（記録再生制御モジュール１１０４）は、第１の記憶領域と第２の記憶領域とで構成される連続領域がデータ処理領域として管理されたことに対応して、第１の記憶領域及び第２の記憶領域の順に、連続領域に対してデータを記録するように制御し、同様に、連続領域からデータを再生するように制御する(図４のＢＬＯＣＫ１４)。
【００４７】
例えば、図３のＳ１２又はＳ１３に示すように、制御モジュール１１０（記録再生制御モジュール１１０４）は、第１の記憶領域に対してデータを記録し続けるように制御し（ＢＬＯＣＫ１４１、ＹＥＳ）、第１の記憶領域の最終領域に対するデータの記録が完了するまで(ＢＬＯＣＫ１４２、ＮＯ)、図３のＳ１３に示すように、第１の記憶領域に対してデータを記録するように制御する（ＢＬＯＣＫ１４５）。これに対応して、ＨＤＤ１００は、第１の記憶領域の最終領域に対するデータの記録が完了するまで、第１の記憶領域に対してデータを記録し続ける。
【００４８】
制御モジュール１１０（記録再生制御モジュール１１０４）は、第１の記憶領域の最終領域に対するデータの記録が完了すると(ＢＬＯＣＫ１４２、ＹＥＳ)、図３のＳ１４に示すように、第２の記憶領域に対してデータの記録を開始するように制御し（ＢＬＯＣＫ１４３）、その後、図３のＳ１５に示すように、第２の記憶領域に対してデータを継続的に記録するように制御する（ＢＬＯＣＫ１４４）。これに対応して、ＨＤＤ１００は、第２の記憶領域に対するデータの記録を開始し、データの記録を継続する。
【００４９】
なお、図３のＳ１５の状態では、連続領域がデータ処理領域として管理されているが、制御モジュール１１０（記録再生制御モジュール１１０４）は、第２の記憶領域に対してデータを記録するように制御するが、第１の記憶領域に対してデータを記録するように制御しない。また、この状態では、制御モジュール１１０（記録再生制御モジュール１１０４）は、第１の記憶領域及び第２の記憶領域の何れの領域からもデータを再生するように制御することができる。
【００５０】
続いて、制御モジュール１１０（記録再生領域管理モジュール１１０５）は、第２の記憶領域に記録を開始した後（つまり第２の記録領域にデータが記録開始されたら）データ処理領域を連続領域から第２の記憶領域へ変更する。例えば、制御モジュール１１０（記録再生領域管理モジュール１１０５）は、第２の記憶領域に記録されたデータのサイズが所定サイズを超えたことに対応して（つまり第２の記録領域にデータが十分蓄積されたら）、データ処理領域を連続領域から第２の記憶領域へ変更するようにしてもよい。つまり、制御モジュール１１０（記録再生領域管理モジュール１１０５）は、データ処理領域を連続領域から第２の記憶領域へ変更する。一例として、制御モジュール１１０（記録再生領域管理モジュール１１０５）は、図３のＳ１６に示すように、第２の記憶領域の最終領域（第２の記憶領域の末端）までデータが記録されたことに対応して（つまり第２の記録領域にデータが十分蓄積されたら）（ＢＬＯＣＫ１５、ＹＥＳ）、データ処理領域を連続領域から第２の記憶領域へ変更する。
【００５１】
制御モジュール１１０（記録再生制御モジュール１１０４）は、第２の記憶領域がデータ処理領域（ループ記録再生領域）として管理されたことに対応して、図３のＳ１７、Ｓ１８に示すように、第２の記憶領域に対してデータをループ記録するように制御し（ＢＬＯＣＫ１６）、同様に、第２の記憶領域からデータをループ再生するように制御する。
【００５２】
これに対応して、ＨＤＤ１００は、第２の記憶領域に対してデータをループ記録したり、第２の記録領域に記録されたデータをループ再生したりする。
【００５３】
さらに、制御モジュール１１０（記録再生領域管理モジュール１１０５）は、第２の記憶領域の最終領域（第２の記憶領域の末端）までデータが記録されたことに対応して、ＨＤＤ１００の接続解除を許可する（ＢＬＯＣＫ１７）。これに対応して、映像処理モジュール１１３は、ＨＤＤ１００の接続解除の許可情報を出力し、映像表示部１４１は、ＨＤＤ１００の接続解除の許可情報を表示する。例えば、映像表示部１４１は、「ＨＤＤ１００は取り外し可能です」の案内を表示する（ＢＬＯＣＫ１８）。
【００５４】
なお、制御モジュール１１０（記録再生領域管理モジュール１１０５）は、ＨＤＤ１００の設定完了（ＨＤＤ１００の認識、ＨＤＤ１００の第１の記憶領域（例えば全領域）のフォーマット、ＨＤＤ１００の接続処理の完了）に対応し、ＨＤＤ１００の第１の記憶領域の容量をループ記録再生容量として出力することができる。これに対応して、例えば、映像表示部１４１は、ループ記録再生容量として第１の記憶領域の容量を表示する。
【００５５】
また、制御モジュール１１０（記録再生領域管理モジュール１１０５）は、ＨＤＤ１００の第１の記憶領域とＨＤＤ２００の第２の記憶領域とで構成される連続領域をデータ処理領域として管理したことに対応して、ＨＤＤ２００の第２の記憶領域の容量をループ記録再生容量として出力することができる。これに対応して、例えば、映像表示部１４１は、ループ記録再生容量として第２の記憶領域の容量を表示する。これにより、ＨＤＤ１００からＨＤＤ２００への移行途中であっても、移行完了後のループ記録再生容量（ＨＤＤ２００の第２の記憶領域の容量）を表示することができる。
【００５６】
以上により、デジタルテレビジョン放送受信装置（記録制御装置）は、ＨＤＤ１００に対する番組のループ記録中に、ループ記録を停止することなく、また、特別な操作を必要とせずに、ＨＤＤ１００に対するループ記録を、ＨＤＤ２００に対するループ記録に切り替えることができる。
【００５７】
例えば、デジタルテレビジョン放送受信装置（記録制御装置）は、ＨＤＤ１００に対する番組のループ記録中に、ＨＤＤ２００を検出すると、ＨＤＤ２００を自動的にループ記録再生用にフォーマットする。従って、ユーザが特別な操作をしなくても、ＨＤＤ２００がループ記録再生用に使用可能な状態となる。
【００５８】
また、デジタルテレビジョン放送受信装置（記録制御装置）は、ＨＤＤ１００に対する番組のループ記録中にＨＤＤ２００の設定が完了すると、ＨＤＤ１００の第１の記録領域と、ＨＤＤ２００の第２の記録領域とを連続領域として管理し、この連続領域をデータ処理領域として管理する。
【００５９】
また、連続領域がデータ処理領域として管理された後、ＨＤＤ２００の第２の記録領域に十分データが蓄積されると（例えば第２の記録領域の末端までデータが記録されると）、デジタルテレビジョン放送受信装置（記録制御装置）は、第２の記録領域をデータ処理領域として管理し、第２の記録領域に対して番組をループ記録する。これにより、ＨＤＤ１００からＨＤＤ２００への移行途中であっても、ＨＤＤ２００の第２の記録領域に十分データが蓄積されるまでは、連続領域に記録された十分な番組データを再生することができる。つまり、移行途中に、再生可能な番組データが少なくなってしまうのを防止することができる。
【００６０】
さらに、デジタルテレビジョン放送受信装置（記録制御装置）は、第２の記録領域がデータ処理領域として管理されると、ＨＤＤ１００の接続解除を許可し、例えば、接続解除許可情報を表示する。これにより、ユーザは、ＨＤＤ１００を物理的に取り外すことができる。
【００６１】
さらに、デジタルテレビジョン放送受信装置（記録制御装置）は、ＨＤＤ１００の第１の記憶領域とＨＤＤ２００の第２の記憶領域とで構成される連続領域をデータ処理領域として管理したことに対応して、ループ記録再生容量として第２の記憶領域の容量を表示することができる。つまり、デジタルテレビジョン放送受信装置（記録制御装置）は、ＨＤＤ１００からＨＤＤ２００への移行途中であっても、移行完了後のループ記録再生容量（ＨＤＤ２００の第２の記憶領域の容量）を表示することができる。
【００６２】
（第２の実施形態）
図６、図７を参照し、第２の実施形態について説明する。図６は、第２の実施形態に係る第２の記録再生制御の一例を示す状態遷移図であり、図７は、第２の実施形態に係る第２の記録再生制御の一例を示すフローチャートである。なお、第２の実施形態に係る第２の記録再生制御の基本的な流れは、第１の実施形態に係る第１の記録再生制御と同じであり、異なる部分を中心に説明する。
【００６３】
第１の実施形態に係る第１の記録再生制御では、ＨＤＤ２００の設定が完了しても（図３に示すＳ１２、Ｓ１３の状態）、ＨＤＤ１００の第１の記憶領域の最終領域に対するデータの記録が完了するまで、ＨＤＤ２００の第２の記録領域に対するデータの書き込みは開始されない(図５に示すＢＬＯＣＫ１４２、ＮＯ→ＢＬＯＣＫ１４５)。つまり、第１の記録再生制御では、ＨＤＤ２００の設定が完了し（図３に示すＳ１２、Ｓ１３の状態）、さらに、ＨＤＤ１００の第１の記憶領域の最終領域に対するデータの記録が完了すると、ＨＤＤ２００の第２の記録領域に対するデータの書き込みが開始される（図３に示すＳ１４の状態）。
【００６４】
これに対して、第２の実施形態に係る第２の記録再生制御では、ＨＤＤ２００の設定が完了すると（図６に示すＳ２２の状態）、ＨＤＤ１００の第１の記憶領域の最終領域に対するデータの記録が完了しなくても、ＨＤＤ２００の第２の記録領域に対するデータの書き込みが開始される（図６に示すＳ２３の状態）(図７に示すＢＬＯＣＫ２１、ＹＥＳ→ＢＬＯＣＫ２２)。
【００６５】
つまり、ＨＤＤ１００に対するループ記録中に、或いはループ記録とループ再生中に、制御モジュール１１０（記録再生領域管理モジュール１１０５）が、ＨＤＤ２００の接続を検出すると、制御モジュール１１０（記録再生領域管理モジュール１１０５）は、ＨＤＤ２００を認識し、ＨＤＤ２００の第２の記憶領域（例えば全領域）をループ記録再生用にフォーマットし、ＨＤＤ２００の接続処理を完了する。さらに、制御モジュール１１０（記録再生領域管理モジュール１１０５）は、ＨＤＤ１００の第１の記憶領域とＨＤＤ２００の第２の記憶領域とを論理的に連続した連続領域として管理し、この連続領域をデータ処理領域として管理する。つまり、制御モジュール１１０（記録再生領域管理モジュール１１０５）は、データ処理領域を第１の記憶領域から連続領域へ変更する。制御モジュール１１０（記録再生制御モジュール１１０４）は、第１の記憶領域と第２の記憶領域とで構成される連続領域がデータ処理領域として管理されたことに対応して、連続領域に対してデータを記録するように制御し、同様に、連続領域からデータを再生するように制御する。
【００６６】
第２の実施形態では、制御モジュール１１０（記録再生制御モジュール１１０４）は、連続領域がデータ処理領域として管理されたことに対応して、第１の記録領域の最終領域まで記録が進んでいなくても、第１の記憶領域に対するデータの記録を停止し、第２の記憶領域に対するデータの記録を開始する（図６に示すＳ２３の状態）(図７に示すＢＬＯＣＫ２１、ＹＥＳ→ＢＬＯＣＫ２２)。その後は、制御モジュール１１０（記録再生制御モジュール１１０４）は、第２の記憶領域に対するデータの記録を継続する（図６に示すＳ２４、Ｓ２５、Ｓ２７、Ｓ２８の状態）(図７に示すＢＬＯＣＫ２１、ＮＯ→ＢＬＯＣＫ２３)。
【００６７】
制御モジュール１１０（記録再生領域管理モジュール１１０５）は、第２の記憶領域に記録を開始した後、データ処理領域を連続領域から第２の記憶領域へ変更する。例えば、制御モジュール１１０（記録再生領域管理モジュール１１０５）は、第２の記憶領域に記録されたデータのサイズが所定サイズを超えたことに対応して（つまり第２の記録領域にデータが十分蓄積されたら）、データ処理領域を連続領域から第２の記憶領域へ変更する。一例として、制御モジュール１１０（記録再生領域管理モジュール１１０５）は、図６のＳ２５に示すように、第２の記憶領域の最終領域（第２の記憶領域の末端）までデータが記録されたことに対応して（つまり第２の記録領域にデータが十分蓄積されたら）、データ処理領域を連続領域から第２の記憶領域へ変更する。
【００６８】
制御モジュール１１０（記録再生制御モジュール１１０４）は、第２の記憶領域がデータ処理領域（ループ記録再生領域）として管理されたことに対応して、図６のＳ２７、Ｓ２８に示すように、第２の記憶領域に対してデータをループ記録するように制御し、同様に、第２の記憶領域からデータをループ再生するように制御する。これに対応して、ＨＤＤ１００は、第２の記憶領域に対してデータをループ記録したり、第２の記録領域に記録されたデータをループ再生したりする。
【００６９】
さらに、制御モジュール１１０（記録再生領域管理モジュール１１０５）は、第２の記憶領域の最終領域（第２の記憶領域の末端）までデータが記録されたことに対応して、ＨＤＤ１００の接続解除を許可する。これに対応して、映像処理モジュール１１３は、ＨＤＤ１００の接続解除の許可情報を出力し、映像表示部１４１は、ＨＤＤ１００の接続解除の許可情報を表示する。例えば、映像表示部１４１は、「ＨＤＤ１００は取り外し可能です」の案内を表示する。
【００７０】
なお、制御モジュール１１０（記録再生領域管理モジュール１１０５）は、ＨＤＤ１００の設定完了（ＨＤＤ１００の認識、ＨＤＤ１００の第１の記憶領域（例えば全領域）のフォーマット、ＨＤＤ１００の接続処理の完了）に対応し、ＨＤＤ１００の第１の記憶領域の容量をループ記録再生容量として出力することができる。これに対応して、例えば、映像表示部１４１は、ループ記録再生容量として第１の記憶領域の容量を表示する。
【００７１】
また、制御モジュール１１０（記録再生領域管理モジュール１１０５）は、ＨＤＤ１００の第１の記憶領域とＨＤＤ２００の第２の記憶領域とで構成される連続領域をデータ処理領域として管理したことに対応して、ＨＤＤ２００の第２の記憶領域の容量をループ記録再生容量として出力することができる。これに対応して、例えば、映像表示部１４１は、ループ記録再生容量として第２の記憶領域の容量を表示する。これにより、ＨＤＤ１００からＨＤＤ２００への移行途中であっても、移行完了後のループ記録再生容量（ＨＤＤ２００の第２の記憶領域の容量）を表示することができる。
【００７２】
以上により、デジタルテレビジョン放送受信装置（記録制御装置）は、第１の実施形態で説明した作用効果に加えて、以下の作用効果を得ることができる。例えば、デジタルテレビジョン放送受信装置（記録制御装置）は、ＨＤＤ２００の設定完了に対応して、直ちに、ＨＤＤ２００に対するデータの記録を開始することができる。
【００７３】
ここで、第１の実施形態と第２の実施形態との作用効果の違いについて補足する。第１の実施形態のデジタルテレビジョン放送受信装置（記録制御装置）は、ＨＤＤ１００の第１の記憶領域とＨＤＤ２００の第２の記憶領域とを論理的な連続領域とみなし、その後、ＨＤＤ１００の第１の記憶領域の末端を書き込み完了位置として管理し、ＨＤＤ２００の第２の記憶領域の先頭を書き込み開始位置として管理するだけでよい。つまり、第１の実施形態では、ＨＤＤ１００の書き込み完了位置は、常に、ＨＤＤ１００の末端となる。また、ＨＤＤ２００から他のＨＤＤへ移行する場合にも、ＨＤＤ２００の書き込み完了位置は、常に、ＨＤＤ２００の末端となる。従って、デジタルテレビジョン放送受信装置（記録制御装置）は、書き込み完了位置を一元的に管理することができ、データ処理領域の管理、及び記録再生制御が容易となる。
【００７４】
第２の実施形態のデジタルテレビジョン放送受信装置（記録制御装置）は、ＨＤＤ１００の第１の記憶領域とＨＤＤ２００の第２の記憶領域とを論理的な連続領域とみなし、その時点でのＨＤＤ１００の書き込み完了位置を管理する。つまり、第２の実施形態では、ＨＤＤ１００の書き込み完了位置は、状況に応じて変動する。そのため、ＨＤＤ２００から他のＨＤＤへ移行する場合には、ＨＤＤ２００の変動する書き込み完了位置も管理することになる。従って、デジタルテレビジョン放送受信装置（記録制御装置）は、その都度、ＨＤＤ１００、ＨＤＤ２００の書き込み完了位置を管理することになる。一方、第２の実施形態では、ＨＤＤ２００の設定完了後、すぐに、ＨＤＤ２００に対するデータの記録を開始することができるので、ＨＤＤ２００を接続してから、ＨＤＤ１００からＨＤＤ２００への移行処理完了までの時間を短くすることができる。よって、ＨＤＤ１００を早く取り外すことができる。
【００７５】
なお、上記したモジュールとは、ハードウェアで実現するものであっても良いし、ＣＰＵ等を使ってソフトウェアで実現するものであってもよい。
【００７６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７７】
１…受信モジュール、２…記録再生制御モジュール、３…再生モジュール、４…記録再生領域管理モジュール、１０…デジタルテレビジョン放送受信装置、１０１…アンテナ、１０２…入力端子、１０３…チューナー部、１０４〜１０７…外部入力端子、１０８…信号処理モジュール、１１０…制御モジュール、１１１…ＯＳＤ信号生成モジュール、１１２…グラフィック処理モジュール、１１３…映像処理モジュール、１１４…音声処理モジュール、１１５…操作部、１１７…受信部、１１９…カードホルダ、１２０…カードインターフェース、１２１…明るさセンサー、１２２…ＬＡＮ端子、１２３…通信インターフェース、１２４、１２６…ＵＳＢ端子、１２５、１２７…ＵＳＢインターフェース、１２８…ＨＤＭＩ端子、１２９…ＨＤＭＩインターフェース、１４１…映像表示部、１４２…スピーカ、１００、２００…ＨＤＤ
【図１】
2015039067.tif 000003
【図２】
2015039067.tif 000004
【図３】
2015039067.tif 000005
【図４】
2015039067.tif 000006
【図５】
2015039067.tif 000007
【図６】
2015039067.tif 000008
【図７】
2015039067.tif 000009